(57)【要約】【課題】出力対象のジョブやジョブ出力時に参照される出力仕様情報を含むジョブチケットに関して、ジョブチケット発行対象者であるユーザによるジョブ及び出力仕様情報の変更を制限し得る情報処理装置を提供する。【解決手段】特定のユーザに対して発行され、少なくとも出力対象のジョブ又は該ジョブの格納先をあらわすリンク情報とジョブ出力時に参照される出力仕様情報とを含むジョブチケットを処理する機能を備えた情報処理装置において、上記ジョブチケットに含まれる出力仕様情報から所定の制限情報を抽出し、抽出された制限情報のユーザによる変更が不可であるように、上記ユーザからのジョブ出力の要求に応じて、ユーザインターフェース可能な出力仕様の設定画面上の表示を制御する。【選択図】図７
2007317058.tif 000002
【特許請求の範囲】
【請求項１】
特定のユーザに対して発行され、少なくとも出力対象のジョブ又は該ジョブの格納先をあらわすリンク情報とジョブ出力時に参照される出力仕様情報とを含むジョブチケットを処理する機能を備えた情報処理装置において、
上記ユーザからのジョブ出力の要求に応じて、ユーザインターフェース可能な出力仕様の設定画面を表示する表示手段と、
上記ジョブチケットに含まれる出力仕様情報から所定の制限情報を抽出する制限情報抽出手段と、
上記制限情報抽出手段により抽出された制限情報のユーザによる変更が不可であるように、上記表示手段による設定画面上の表示を制御する表示制御手段と、を有していることを特徴とする情報処理装置。
【請求項２】
更に、暗号化された上記制御情報を含むジョブチケットに対して、ジョブ出力に際し、該制限情報を復号化する復号化手段を有していることを特徴とする請求項１記載の情報処理装置。
【請求項３】
更に、暗号化された上記ジョブ又はリンク情報を含むジョブチケットに対して、ジョブ出力に際し、該ジョブ又はリンク情報を復号化する復号化手段を有していることを特徴とする請求項１又は２に記載の情報処理装置。
【請求項４】
ジョブチケット発行対象者であるユーザを特定するユーザ情報を含むジョブチケットに対して、該ユーザ情報とジョブ出力を要求するユーザにより入力されるユーザ情報とが一致しない場合に、ジョブ出力が禁止されることを特徴とする請求項１〜３のいずれか一に記載の情報処理装置。
【請求項５】
ジョブチケット発行者の情報を含むジョブチケットに対して、該ジョブチケット発行者の情報とジョブ出力を要求するユーザにより入力されるユーザ情報とが一致した場合に、上記表示制御手段は、上記制限情報抽出手段により抽出された制限情報のユーザによる変更が可能であるように、上記表示手段による設定画面上の表示を制御することを特徴とする請求項１〜４のいずれか一に記載の情報処理装置。
【請求項６】
更に、上記リンク情報に基づく格納先で暗号化されるジョブを復号化するための暗号鍵を含むジョブチケットに対して、ジョブ出力に際し、上記格納先から取得されたジョブを、上記暗号鍵を用いて復号化する復号化手段を有していることを特徴とする請求項１〜５のいずれか一に記載の情報処理装置。
【請求項７】
上記表示制御手段は、上記制限情報以外の出力仕様情報に関して、予め装置に設定された初期条件が反映されるように、上記表示手段による設定画面上の表示を制御することを特徴とする請求項１〜６のいずれか一に記載の情報処理装置。
【請求項８】
更に、上記ジョブチケットを発行するジョブチケット発行手段を有していることを特徴とする請求項１〜７のいずれか一に記載の情報処理装置。
【発明の詳細な説明】
【技術分野】
【０００１】
本発明は、特定のユーザに対して発行され、少なくとも出力対象のジョブ又は該ジョブの格納先をあらわすリンク情報とジョブ出力時に参照される出力仕様情報とを含むジョブチケットを処理する機能を備えた情報処理装置に関する。
【背景技術】
【０００２】
従来、例えばプリンタ，複写機，多機能複合機等の画像形成装置においては、出力対象のジョブやジョブ出力に際して参照される出力仕様情報を含む所謂ジョブチケットを発行する機能をもつものが知られている。出力仕様情報は、画像データの出力条件を規定するデータであり、例えば両面／片面印刷の別，用紙の選択，倍率，出力部数等を規定する。このジョブチケットは、所定のユーザに対して発行され、例えば画像形成装置に設定されたファイル格納用のボックス（所謂ファイリングボックス）に格納される。ユーザは、ボックスに格納されたジョブチケットを選択することで、ジョブチケットに含まれる出力仕様情報に基づき、若しくは、ジョブチケット発行対象者であるユーザにより変更された出力仕様情報に基づき、ジョブをプリント出力したり、他の機器へ送信したりすることが可能である。
【０００３】
かかるジョブチケットに関連して、例えば特開２００５−１８７０８号公報には、画像形成装置のみならず、パーソナルコンピュータ（ＰＣ）上でジョブチケットを変更可能とする技術が開示されている。
【０００４】
また、従来では、ジョブ及び出力仕様情報の第三者による閲覧を防止し得るように、ジョブチケット発行時に、ジョブ及び出力仕様情報を個別に暗号化する手段が知られている。この場合、１つのジョブに対して、様々な出力仕様情報を含むジョブチケットを複数発行することが可能である。
【０００５】
【特許文献１】特開２００５−１８７０８号公報
【発明の開示】
【発明が解決しようとする課題】
【０００６】
しかしながら、上記のような従来技術では、ジョブチケットに含まれる出力仕様情報が、ユーザに対するジョブチケット発行後にも変更可能に付加され、ユーザがそれを変更することによりジョブの出力仕様を変更することができる。その結果、ジョブチケット発行対象者であるユーザにより、ジョブチケット発行者の意図に反した出力仕様情報に基づきジョブが出力される可能性がある。
【０００７】
この発明は、上記技術的課題に鑑みてなされたもので、出力対象のジョブやジョブ出力時に参照される出力仕様情報を含むジョブチケットに関して、ジョブチケット発行対象者であるユーザによるジョブ及び出力仕様情報の変更を制限し得る情報処理装置を提供することを目的とする。
【課題を解決するための手段】
【０００８】
そこで、本願の請求項１に係る発明は、特定のユーザに対して発行され、少なくとも出力対象のジョブ又は該ジョブの格納先をあらわすリンク情報とジョブ出力時に参照される出力仕様情報とを含むジョブチケットを処理する機能を備えた情報処理装置において、
上記ユーザからのジョブ出力の要求に応じて、ユーザインターフェース可能な出力仕様の設定画面を表示する表示手段と、上記ジョブチケットに含まれる出力仕様情報から所定の制限情報を抽出する制限情報抽出手段と、該制限情報抽出手段により抽出された制限情報のユーザによる変更が不可であるように、上記表示手段による設定画面上の表示を制御する表示制御手段と、を有していることを特徴としたものである。
【０００９】
また、本願の請求項２に係る発明は、上記請求項１に係る発明において、暗号化された上記制御情報を含むジョブチケットに対して、ジョブ出力に際し、該制限情報を復号化する復号化手段を有していることを特徴としたものである。
【００１０】
更に、本願の請求項３に係る発明は、上記請求項１又は２に係る発明において、暗号化された上記ジョブ又はリンク情報を含むジョブチケットに対して、ジョブ出力に際し、該ジョブ又はリンク情報を復号化する復号化手段を有していることを特徴としたものである。
【００１１】
また、更に、本願の請求項４に係る発明は、上記請求項１〜３に係る発明のいずれかにおいて、ジョブチケット発行対象者であるユーザを特定するユーザ情報を含むジョブチケットに対して、該ユーザ情報とジョブ出力を要求するユーザにより入力されるユーザ情報とが一致しない場合に、ジョブ出力が禁止されることを特徴としたものである。
【００１２】
また、更に、本願の請求項５に係る発明は、上記請求項１〜４に係る発明のいずれかにおいて、ジョブチケット発行者の情報を含むジョブチケットに対して、該ジョブチケット発行者の情報とジョブ出力を要求するユーザにより入力されるユーザ情報とが一致した場合に、上記表示制御手段は、上記制限情報抽出手段により抽出された制限情報のユーザによる変更が可能であるように、上記表示手段による設定画面上の表示を制御することを特徴としたものである。
【００１３】
また、更に、本願の請求項６に係る発明は、上記請求項１〜５に係る発明のいずれかにおいて、上記リンク情報に基づく格納先で暗号化されるジョブを復号化するための暗号鍵を含むジョブチケットに対して、ジョブ出力に際し、上記格納先から取得されたジョブを、上記暗号鍵を用いて復号化する復号化手段を有していることを特徴としたものである。
【００１４】
また、更に、本願の請求項７に係る発明は、上記請求項１〜６に係る発明のいずれかにおいて、上記表示制御手段は、上記制限情報以外の出力仕様情報に関して、予め装置に設定された初期条件が反映されるように、上記表示手段による設定画面上の表示を制御することを特徴としたものである。
【００１５】
また、更に、本願の請求項８に係る発明は、上記請求項１〜７に係る発明のいずれかにおいて、上記ジョブチケットを発行するジョブチケット発行手段を有していることを特徴としたものである。
【発明の効果】
【００１６】
本願の請求項１に係る発明によれば、ジョブチケット発行対象者であるユーザによる出力仕様情報の変更を制限し、ジョブチケット発行者が意図した出力仕様を確保することができる。
【００１７】
また、本願の請求項２に係る発明によれば、暗号化された制限情報がジョブ出力に際して復号化されるため、制限情報に基づく出力仕様情報が設定画面上に表示されることなく、ジョブチケット発行者が意図した出力仕様情報が機密に保持され得る。
【００１８】
更に、本願の請求項３に係る発明によれば、暗号化されたジョブ又はリンク情報がジョブ出力に際して復号化されるため、ジョブ又はリンク情報が設定画面上に表示されることなく、機密に保持され得る。
【００１９】
また、更に、本願の請求項４に係る発明によれば、ジョブチケット発行対象者以外のユーザによる不正なジョブ出力を防止することができる。
【００２０】
また、更に、本願の請求項５に係る発明によれば、ジョブチケット発行者に対しては、制限情報を変更可能として、装置の使い勝手を向上させることができる。
【００２１】
また、更に、本願の請求項６に係る発明によれば、ジョブチケットに含まれる暗号鍵を用いてジョブが復号化されることで、ユーザが要求するジョブ出力を適切に実行することができる。また、ジョブ出力に際して、格納先から取得されたジョブが暗号化されるため、ジョブが設定画面上に表示されることなく、機密に保持され得る。
【００２２】
また、更に、本願の請求項７に係る発明によれば、上記表示手段による設定画面上で、上記制限情報以外の出力仕様情報について、予め装置に設定された初期条件が反映されることで、より汎用の出力仕様でのジョブ出力が可能である。
【００２３】
また、更に、本願の請求項８に係る発明によれば、上記装置により適宜処理され得るジョブチケットを発行することができる。
【発明を実施するための最良の形態】
【００２４】
以下、本発明の実施形態について、添付図面を参照しながら説明する。なお、この実施形態では、特許請求の範囲に記載の情報処理装置として、多機能複合機（以下、ＭＦＰと表記）を取り上げる。
【００２５】
図１は、本願発明の実施形態に係るＭＦＰの基本構成を示すブロック図である。このＭＦＰ１０は、所定のプログラムに基づき各種の命令を実行させるなどして、ＭＦＰ１０内の各構成を制御するＣＰＵ１と、ＣＰＵ１による制御の基になるプログラムを格納するＲＯＭ２と、該プログラムの実行に必要なワークエリアとして機能しつつ，外部から送信されてきたジョブデータ等の各種ファイル又はデータを一時的に格納するＲＡＭ３と、画像データ又は文書データ等のジョブデータを蓄積するハードディスクドライブ（ＨＤＤ）４と、外部より入力された若しくは本機で作成された画像データに対する色変換，色補正，解像度変換，領域判別，下地除去等の処理を行う一方、プリント出力前の画像データに対するスクリーン制御，スムージング処理，パルス幅変調（ＰＷＭ）制御等の処理を行う画像処理部５と、を有している。
【００２６】
また、ＭＦＰ１０は、ユーザによるＭＦＰ本体の操作及び各種の設定操作を可能とするタッチパネル式の表示パネルを備えた操作部６と、原稿を読み取り例えばビットマップ形式の画像データを取得する走査部７と、画像データに基づき印刷媒体（用紙等）に対してプリントを実行する印刷部８と、印刷部８に対して給紙を行なう給紙部９と、各種データの送受信を外部と行なうためのネットワークインターフェースカード（図中の「ＮＩＣ」）１１と、を有している。これらの構成は、バス１２を介して互いにデータ送受信可能に接続されている。
【００２７】
本実施形態では、ＭＦＰ１０が、出力対象のジョブ又はジョブを特定するための特定情報と、ジョブ出力時に参照される出力仕様情報とを含むジョブチケットを有効に処理する機能を有している。具体的には、ＭＦＰ１０は、ＭＦＰ１０又はＰＣ等の外部機器において発行されたジョブチケットを格納し、ユーザからのジョブ出力の要求に応じて、ジョブチケットに含まれるジョブを、出力仕様情報を参照しつつ、プリント出力や外部機器への送信出力等により出力する。
【００２８】
図２には、ＭＦＰ１０又は外部機器において発行され、ＭＦＰ１０が処理し得るジョブチケットの構成を概念的に示す。本実施形態では、ジョブチケットが、出力対象のジョブ又は該ジョブの格納先をあらわすリンク情報と、ジョブチケット発行対象者であるユーザによる変更が可能である出力仕様情報をあらわす「非制限情報」（ここでは「用紙サイズ」）とジョブチケット発行対象者であるユーザによる変更が不可である出力仕様情報をあらわす「制限情報」（ここでは「モノクロのみ」）とからなる出力仕様情報とを含んでいる。
【００２９】
更に、図２では、制限情報がハッチングを掛けられて図示されているが、これは、制限情報が暗号化されていることをあらわしている。他方、非制限情報は暗号化されていない。このように暗号化された制限情報に対処すべく、ＭＦＰ１０は、暗号化された制限情報を復号化する機能を備えており、かかる機能により、暗号化された制限情報が、ジョブ出力に際して復号化される。なお、ジョブチケットにおいては、制限情報に限らず、ジョブ又はリンク情報が暗号化されていてもよく、その場合にも、暗号化されたジョブ又はリンク情報は、ジョブ出力に際して復号化される。
【００３０】
また、本実施形態では、ジョブチケットには、上記ジョブ又はリンク情報，非制限情報及び制限情報に加えて、ジョブの名前，ジョブチケットの発行時刻，ジョブチケット発行者に関する情報、及び、ジョブチケット発行対象者であるユーザを特定するユーザ情報（例えばユーザＩＤやパスワード等）が含まれている。更に、上記リンク情報に基づき取得されるジョブが暗号鍵により独立に暗号化されている場合には、ジョブチケットにおいて、暗号化されたジョブを復号化するための暗号鍵が含まれていてもよい。
【００３１】
なお、前述したようなジョブチケットは、ＭＦＰ１０又はＰＣ等の外部機器のいずれで発行されてもよい。ジョブチケット発行者は、チケット発行に際して、ＭＦＰ１０又は外部機器上で、出力対象のジョブ（例えばＭＦＰ１０の操作部７により作成された画像データを含む），非制限情報及び制限情報を設定するとともに、チケット発行対象者であるユーザが利用するＭＦＰ１０内に作成されたボックスを設定する。発行後のジョブチケットは、ジョブチケット発行者により設定されたボックスに格納される。
【００３２】
以下、ジョブチケットに関連するジョブの出力に伴い、ＭＦＰ１０の操作部６に表示される画面の具体例を取り上げて説明する。
【００３３】
本実施形態では、ＭＦＰ１０の操作部６において、ジョブチケットが格納されたボックスが選択されると、図３に示すようなユーザ認証画面が表示される。このユーザ認証画面には、ユーザＩＤ及びパスワードを入力するボックスが設けられており、これらのボックスに入力されたユーザＩＤ及びパスワードと、ジョブチケットに含まれるユーザ情報とが一致した場合に、ジョブ出力が許可され、選択されたボックスに格納されたジョブチケットに対応したジョブの一覧画面が表示される。他方、両者が一致しない場合には、ジョブ出力が禁止される。特に図示しないが、この場合には、ユーザＩＤ及びパスワードの再入力を促す警告メッセージ（不図示）が表示される。
このようにして、ジョブチケット発行対象者以外のユーザによる不正なジョブ出力を防止することができる。
【００３４】
なお、ＭＦＰ１０の使用開始時に既にユーザ認証処理が行われた場合には、ユーザによるボックスの選択に応じて、既に行われたユーザ認証処理に用いられたユーザ情報と、ジョブチケットに含まれるユーザ情報とが即時に照合されるようにして、ユーザ情報の再入力が省略されてもよい。
【００３５】
続いて、図４には、ジョブ出力が許可された場合にＭＦＰ１０の操作部６に表示されるジョブ一覧画面を示す。この例では、選択されたボックスに格納されたジョブチケットに対応したジョブに関して、ジョブチケット発行日時及び時刻，ジョブチケット発行者が一覧表示されている。かかるジョブ一覧画面上で、ジョブチケット発行対象者であるユーザにより、出力対象のジョブが選択される。図４に示す状態では、ジョブ名「仕様書」，ジョブチケット発行日時及び時刻「2/18 10:22」，ジョブチケット発行者「ユーザＡＡ」が選択されている。
【００３６】
ジョブ一覧画面上でのジョブの選択に応じて、ＭＦＰ１０では、選択されたジョブに対応したジョブチケットに含まれる非制限情報及び制限情報が抽出され、非制限情報及び制限情報がＭＦＰ１０の操作部６に表示される設定画面上に反映させられる。これにより、制限情報に基づく出力仕様情報が、設定画面上で既に設定された状態で、それ以降の変更が不可であるように、また、一方、非制限情報に基づく出力仕様情報が、設定画面上で既に設定された状態で、それ以降の変更が可能であるように表示される。
【００３７】
図５には、ジョブチケット発行対象者であるユーザによる変更が可能な出力仕様情報に関連した設定画面（用紙サイズ選択画面）を示す。図５に示す状態では、ジョブチケットに含まれていた「非制限情報」に該当する情報に基づき、用紙サイズとして、「Ａ４」が選択されており、更に、他の用紙サイズである「Ａ５」，「Ｂ４」，「Ｂ５」，「Ａ６」及び「はがき」が、ユーザによる選択可能に表示されている。
【００３８】
また、図６には、ジョブチケット発行対象者であるユーザによる変更が不可である出力仕様情報に関連した設定画面（カラー情報確認画面）を示す。図６に示す状態では、ジョブチケットに含まれていた「制限情報」に該当する情報に基づき、カラー情報として、「モノクロ」が選択されており、また、他のカラー情報である「モノカラー」，「フルカラー」，「グレースケール」及び「２色」が、ユーザによる選択不可とするようにグレーアウト表示されている。
【００３９】
なお、特に図示しないが、本実施形態では、ジョブチケットに制限情報や非制限情報として含まれない出力仕様情報については、ＭＦＰ１０に予め設定された初期条件が反映されつつ変更可能に表示されるようになっている。
【００４０】
図７は、図５及び６に示すような設定画面の表示制御を伴うジョブ出力処理についてのフローチャートである。ここでは、図３及び４に示すようなユーザ認証画面及びジョブ一覧画面に関連したステップについては省略する。
【００４１】
この処理では、まず、ユーザからジョブ出力の要求があったか否かが判断され（＃１１）、その結果、ジョブ出力の要求がないと判断された場合には、再度ステップ＃１１を繰り返し、他方、ジョブ出力の要求があったと判断された場合には、続いて、ジョブチケットに制限情報が含まれるか否かが判断される（＃１２）。
【００４２】
ステップ＃１２の結果、制限情報が含まれないと判断された場合には、通常の設定画面、すなわち、ユーザが各出力仕様情報を任意に変更し得る設定画面が表示される（＃１３）。ステップ＃１３の後、ジョブ出力の実行指示があったか否かが判断され（＃１４）、実行指示がないと判断された場合には、再度ステップ＃１４が繰り返され、他方、実行指示があったと判断された場合には、設定画面上で設定された出力仕様情報に基づき、ジョブ出力が実行される（＃２１）。以上で処理が終了される。
【００４３】
また、ステップ＃１２の結果、制限情報が含まれると判断された場合には、続いて、制限情報が暗号化されているか否かが判断される（＃１５）。その結果、制限情報が暗号化されていないと判断された場合には、図６に示したような制限情報を反映した設定画面が表示される（＃１６）。ステップ＃１６の後、ジョブ出力の実行指示があったか否かが判断され（＃１７）、実行指示がないと判断された場合には、再度ステップ＃１７が繰り返され、他方、実行指示があったと判断された場合には、設定画面上で設定された出力仕様情報に基づき、ジョブ出力が実行される（＃２１）。以上で処理が終了される。
【００４４】
更に、ステップ＃１５の結果、制限情報が暗号化されていると判断された場合には、制限情報に基づく設定内容を含まない設定画面が表示される（＃１８）。この場合には、制限情報に基づく出力仕様情報が設定画面上に表示されることなく、ジョブチケット発行者が意図した制限情報に対応した出力仕様情報が機密に保持され得る。ステップ＃１８の後、ジョブ出力の実行指示があったか否かが判断され（＃１９）、実行指示がないと判断された場合には、再度ステップ＃１９が繰り返され、他方、実行指示があったと判断された場合には、制限情報が復号化された上で（＃２０）、ジョブ出力が実行される（＃２１）。以上で処理が終了される。
【００４５】
このように、設定画面上で、ジョブチケットに含まれる制限情報に対応した出力仕様情報が変更不可とされつつ表示されることで、ジョブチケット発行対象者であるユーザによる出力仕様情報の変更を制限し、ジョブチケット発行者が意図した出力仕様を確保することができる。
【００４６】
また、暗号化された制限情報がジョブ出力に際して復号化されるため、制限情報に基づく出力仕様情報が設定画面上に表示されることなく、ジョブチケット発行者が意図した出力仕様情報が機密に保持され得る。なお、図７には示されていないが、ジョブチケットに含まれるジョブ又はリンク情報が暗号化されている場合にも、ジョブ又はリンク情報がジョブ出力に際して復号化されることで、ジョブ又はリンク情報が設定画面上に表示されることなく、機密に保持され得る。
【００４７】
図７のフローチャートであらわされる処理は、ＭＦＰ１０のＲＯＭ２又はハードディスクドライブ４に格納されるプログラムが読み出されることで実行されるが、かかるプログラムは、ＭＦＰ１０のＣＰＵ１による制御の基になるプログラムの一部として予め組み込まれるものであっても、あるいは、ジョブ出力プログラムとして、例えば図１に示すＣＤ−ＲＯＭ，ＤＶＤ−ＲＯＭ等の光ディスク１８又はフロッピー（登録商標）ディスク１９等の外部記録媒体を用いて若しくはネットワーク経由でダウンロードすることで、ＭＦＰ１０にインストールされ、ハードディスクドライブ４に追加的に格納されるものであってもよい。
【００４８】
なお、本発明は、例示された実施形態に限定されるものでなく、本発明の要旨を逸脱しない範囲において、種々の改良及び設計上の変更が可能であることは言うまでもない。例えば、ジョブチケット発行者の情報を含むジョブチケットに対しては、ジョブチケット発行者の情報と図３に示したようなユーザ認証画面上で入力されるユーザ情報とが一致した場合に、制限情報が変更可能であるように設定画面上に表示されてもよい。これにより、ジョブチケット発行者に対しては、制限情報を変更可能として、装置の使い勝手を向上させることができる。
【００４９】
更に、前述した実施形態では、ジョブ出力としてプリント出力を例に取り上げたが、本発明は、メール送信，ＳＭＢ送信，ＦＴＰ送信，ファクシミリ送信等のジョブ送信出力について、送信先，送信方法，送信フォーマットを制限する等、若しくは、所定のフォルダに保存されるジョブ保存について、保存可能なボックスを制限する等の場合にも適用可能である。
【図面の簡単な説明】
【００５０】
【図１】本発明の実施形態に係るＭＦＰの基本構成を示すブロック図である。
【図２】上記ＭＦＰ上で発行されたジョブチケットの構成を概念的に示す説明図である。
【図３】上記ＭＦＰの操作部に表示されるユーザ認証画面の一例を示す図である。
【図４】上記ＭＦＰの操作部に表示されるジョブ一覧画面の一例を示す図である。
【図５】上記ジョブチケットに含まれる非制限情報に基づく上記用紙サイズ選択画面の一例を示す図である。
【図６】上記ジョブチケットに含まれる制限情報に基づく上記カラー情報確認画面の一例を示す図である。
【図７】図５及び６に示すような設定画面の表示制御を伴うジョブ出力処理についてのフローチャートである。
【符号の説明】
【００５１】
１…ＣＰＵ，２…ＲＯＭ，３…ＲＡＭ，４…ハードディスクドライブ，５…画像処理部，６…操作部，７…走査部，１０…ＭＦＰ，１１…ＮＩＣ，１８…光ディスク，１９…フロッピーディスク。
【図１】
2007317058.tif 000003
【図２】
2007317058.tif 000004
【図３】
2007317058.tif 000005
【図４】
2007317058.tif 000006
【図７】
2007317058.tif 000007
【図５】
2007317058.tif 000008
【図６】
2007317058.tif 000009